(57)【要約】【課題】  ユーザが所望の被収納物を必要量だけ持ち運ぶことができる収納袋の提供。【解決手段】  収納袋１は、複数の袋体２が連結された合成樹脂製である。袋体２は、被収納物を袋体２に入れるための投入部２１と、投入部２１を開閉可能な開閉部２５と、投入部２１と連通し被収納物を収納する収納空間２２ａが規定された収納部２２と、収納部２２に対して投入部２１と反対側に位置し、収納空間２２ａと連通し、被収納物を袋体２から外部に取り出し可能な取出部２３と、を有している。取出部２３の周囲は、投入部２１よりも狭く構成されている。【選択図】図１
2019202813.tif 000002
【特許請求の範囲】
【請求項１】
複数の袋体が連結された収納袋であって、
前記袋体は、
被収納物を前記袋体に入れるための投入部と、
前記投入部を開閉可能な開閉部と、
前記投入部と連通し前記被収納物を収納する収納空間が規定された収納部と、
前記収納部に対して前記投入部と反対側に位置し、前記収納空間と連通し、前記被収納物を前記袋体から外部に取り出し可能な取出部と、を有し、
前記取出部は、前記投入部よりも狭く構成されていることを特徴とする収納袋。
【請求項２】
前記投入部は、前記袋体の長手方向の一端部に設けられ、
前記取出部は、前記袋体の前記長手方向の他端部に設けられ、
前記袋体の前記長手方向と直交する幅方向の端部には、前記取出部を開口するための切込が形成されていることを特徴とする請求項１に記載の収納袋。
【請求項３】
前記投入部は、前記袋体の長手方向の一端部に設けられ、
前記取出部は、前記袋体の前記長手方向の他端部に設けられ、前記長手方向の前記一端部から前記他端部に向かうにつれて幅が狭くなり、
前記袋体の前記長手方向と直交する幅方向の端部には、前記取出部を開口するための切込が前記長手方向に並んで複数形成されていることを特徴とする請求項１に記載の収納袋。
【請求項４】
前記取出部には、前記被収納物が取出される取出口が形成され、
前記取出口を再封止可能な蓋部をさらに有することを特徴とする請求項１に記載の収納袋。
【請求項５】
複数の前記袋体の間にはミシン目が形成され、
前記ミシン目を切り離すことにより、前記袋体を離間させることを特徴とする請求項１から４のいずれか１項に記載の収納袋。
【発明の詳細な説明】
【技術分野】
【０００１】
本発明は収納袋に関し、特に液状物や粉状物を収納する収納袋に関する。
【背景技術】
【０００２】
従来より、液状物を充填する液状物充填包装体が知られている（例えば、特許文献１）。液状物充填包装体には、引裂きの進展阻止部がもうけられていて、手で開封した際に進展阻止部によって引裂きの進行が食い止められる。これにより、切断片が食品等に混入したり、配管に詰まるなどの問題がなくなる。
【０００３】
他に、複数の収納室を有する複室包装袋が知られている（例えば、特許文献２）。複室包装袋は連設部を備えていて、当該連設部に切れ目線が規定されている。第１収納室と第２収納室とは、切れ目線から互いに切り離すことができる。
【先行技術文献】
【特許文献】
【０００４】
【特許文献１】特開２０１３−２１６３７１号公報
【特許文献２】特開２０１０−８３５０５号公報
【発明の概要】
【発明が解決しようとする課題】
【０００５】
しかしながら、いずれの袋体においても収納された液状物を取出すことを前提として構成されており、ユーザの所望する液状物や粉体物である製品を袋体内部に入れて運搬することは考慮されていなかった。
【０００６】
近年飲食店のデリバリーなどが頻繁に行われており、店舗のオリジナル調味料を宅配する際に液状物が漏れずに適量収納することができる袋体が求められていた。さらに、ユーザの旅先などにおいても普段から使用している浴室用品を使用するためにシャンプー等を詰めるための樹脂製の小型ボトルが販売されているが、異なる種類の製品を入れる際には内部洗浄が必要になるとともに、衛生面において問題があった。
【０００７】
そこで、本発明は、ユーザが所望の被収納物を必要量だけ持ち運ぶことができる収納袋を提供することを目的とする。
【課題を解決するための手段】
【０００８】
上記課題を解決するために第１の発明は、複数の袋体が連結された収納袋であって、前記袋体は、被収納物を前記袋体に入れるための投入部と、前記投入部を開閉可能な開閉部と、前記投入部と連通し前記被収納物を収納する収納空間が規定された収納部と、前記収納部に対して前記投入部と反対側に位置し、前記収納空間と連通し、前記被収納物を前記袋体から外部に取り出し可能な取出部と、を有し、前記取出部は、前記投入部よりも狭く構成されていることを特徴とする収納袋を提供している。
【０００９】
第２の発明では、第１の発明に記載された収納袋であって、前記投入部は、前記袋体の長手方向の一端部に設けられ、前記取出部は、前記袋体の前記長手方向の他端部に設けられ、前記袋体の前記長手方向と直交する幅方向の端部には、前記取出部を開口するための切込が形成されていることを特徴としている。
【００１０】
第３の発明では、第１の発明に記載された収納袋であって、前記投入部は、前記袋体の長手方向の一端部に設けられ、前記取出部は、前記袋体の前記長手方向の他端部に設けられ、前記長手方向の前記一端部から前記他端部に向かうにつれて幅が狭くなり、前記袋体の前記長手方向と直交する幅方向の端部には、前記取出部を開口するための切込が前記長手方向に並んで複数形成されていることを特徴としている。
【００１１】
第４の発明では、第１の発明に記載された収納袋であって、前記取出部には、前記被収納物が出される取出口が形成され、前記取出口を再封止可能な蓋部をさらに有することを特徴としている。
【００１２】
第５の発明では、第１の発明から第４の発明のいずれかに記載された収納袋であって、複数の前記袋体の間にはミシン目が形成され、前記ミシン目を切り離すことにより、前記袋体を離間させることを特徴としている。
【発明の効果】
【００１３】
第１の発明によると、袋体には被収納物を袋体に入れるための投入部及び投入部を開閉可能な開閉部を有しているため、被収納物を収納部に収納した状態で開閉部によって投入部を閉じることにより、袋体で必要量だけ被収納物を持ち運ぶことができる。これにより、被収納物を過剰に持ち運んで最終的に廃棄するなどの事態を抑制することができる。被収納物としては、シャンプー、リンス、コンディショナー、ボディーソープ、ボディークリーム等の浴室用品、乳液、化粧水、日焼け止め、ファンデーション等の化粧品、ケチャップ、しょうゆ、ソース、ドレッシング、マスタード、マヨネーズ等の調味料、洗剤や柔軟剤等の液状物に加え、塩、胡椒、ハーブ、化粧パウダー、粉末洗剤などの粉状物であってもよい。
【００１４】
また、収納袋は複数の袋体が連結されているため、複数種類の被収納物を同時に持ち運ぶことができる。さらに、すべての袋体に投入部と取出部とが設けられているため、いずれかの袋体に収納された被収納物のみを使用し、他の袋体に収納された被収納物は使用しないことも可能である。これにより、個々の被収納物を個別に使用することができるため、無駄を省くことができる。特に、シャンプーやリンス等を持ち運び用のボトルで繰り返し使用する場合は内部洗浄が必要になるが、収納袋を用いることにより内部洗浄が不要となり、使い捨ての収納袋としてシャンプー類を持ち運ぶことができる。
【００１５】
また、袋体に普段から使用している浴室用品や化粧品等を収納することにより、使い慣れた製品を小分けにして持ち運ぶことができる。さらに、試供品等を配布する際に専用のパッケージを製造するとコストが高くなってしまうが、本件発明の収納袋に被収納物を入れて配布することにより低コストで試供品を製造することができる。また、取出部が投入部よりも狭く構成されているため、被収納物を必要量だけ取り出すことができる。
【００１６】
第２の発明によると、袋体幅方向一端部には取出部を開口するための切込が形成されているため、切込から取出部を開口することにより被収納物を取出すことができる。これにより、収納袋を使い捨てとして使用することができるため、手軽に使い慣れた製品を持ち運ぶことができる。
【００１７】
第３の発明によると、取出部が長手方向一端部から他端部に向かうにつれて幅が細くなっており切込が長手方向に並んで複数形成されているため、切込の位置によって取出部の開口の幅を選択することができる。これにより、被収納物の粘度に応じて、取出部の開口の幅を設定することができる。例えば、被収納物がしょうゆなどの粘度の低いものであれば長手方向一端部側に位置する切込を使用することで、開口の幅が狭くなり適量のしょうゆを取出すことができる。また、被収納物がクリームなどの粘度の高いものであれば、長手方向他端部側に位置する切込を使用することで、開口の幅が広くなり適量のクリームを取出すことができる。また、一旦長手方向一端部側の切込を使用した後、再び長手方向他端部側の切込を使用することも可能であるため、袋体を使用中に開口の幅を変更することができる。例えば、マヨネーズを被収納物として使用している場合に、別の切込を使用することにより途中から開口の幅を広くすることができる。
【００１８】
第４の発明によると、取出口を再封止可能な蓋部を有しているため、被収納物を取出口から取り出した後に再び取出口を封止して収納袋を持ち運ぶことができる。これにより、ユーザの利便性を向上させることができる。
【００１９】
第５の発明によると、袋体の間にミシン目が形成されているため、袋体を個々に切り離すことができる。これにより、必要な個数のみをまとめて持ち運ぶことができるため、各袋体がバラバラにならずに管理がし易い。また、複数の袋体のうちいずれかの袋体に収納された被収納物のみを使用し他の袋体に収納された被収納物は使用しない場合には、使用する袋体のみを切り離して使用することができる。
【００２０】
本発明により、ユーザが所望の被収納物を必要量だけ持ち運ぶことができる収納袋を提供することができる。
【図面の簡単な説明】
【００２１】
【図１】本発明の第１の実施の形態による収納袋の外観図。
【図２】本発明の第１の実施の形態による収納袋に被収納物を入れている状態を示す図。
【図３】本発明の第１の実施の形態による収納袋の投入部の部分断面図。
【図４】本発明の第１の実施の形態による収納袋であって、図４（ａ）は被収納物として調味料を入れた状態を示す図であり、図４（ｂ）は被収納物として浴室用品を入れた状態を示す図。
【図５】本発明の第１の実施の形態による収納袋から被収納物を取出す状態を示す図。
【図６】本発明の第２の実施の形態による収納袋の外観図。
【図７】本発明の第２の実施の形態による収納袋であって、図７（ａ）は収納袋の第１切込をカットして被収納物を取出す状態を示す図であり、図７（ｂ）は収納袋の第２切込をカットして被収納物を取出す状態を示す図。
【図８】本発明の第３の実施の形態による収納袋の外観図。
【発明を実施するための形態】
【００２２】
本発明の第１の実施の形態による収納袋１を図１乃至図４に基づき説明する。図１及び図２に示すように、前後上下左右方向を定義する。
【００２３】
収納袋１は合成樹脂製であって、複数の袋体２が左右方向に連結されるように構成され、各袋体２の間にはミシン目２ａが形成されている。各袋体２には、被収納物１０であるシャンプー、リンス、コンディショナー、ボディーソープ、ボディークリーム等の浴室用品、乳液、化粧水、日焼け止め、ファンデーション等の化粧品、ケチャップ、しょうゆ、ソース、ドレッシング、マスタード、マヨネーズ等の調味料、洗剤や柔軟剤等の液状物に加え、塩、胡椒、ハーブ、化粧パウダー、粉末洗剤などの粉状物が収納される。
【００２４】
収納袋１は、ミシン目２ａをカットすることにより、袋体２をそれぞれ分離することができる。袋体２は、左右方向の幅が３ｃｍ程度であって上下方向の高さが６ｃｍ程度であることが望ましいが、被収納物１０の容量に応じて任意に設定することができる。図１に斜線で示すように、各袋体２の左右方向両端部及び下部はヒートシールによって溶着されている。袋体２は、投入部２１と、収納部２２と、取出部２３と、取出ヒートシール部２４と、から構成されている。
【００２５】
投入部２１は袋体２の長手方向の一端部である上部に設けられ、投入口２１ａを開閉可能なジッパーである開閉部２５が左右方向（幅方向）全幅に亘って設けられている。図２に示すように、投入部２１には、開閉部２５を開状態とすることにより、袋体２の内部に被収納物１０を投入する投入口２１ａが形成される。
【００２６】
図３に示すように、開閉部２５は、第１雌部２６と、第２雌部２７と、第１雄部２８と、第２雄部２９と、から構成されている。第１雌部２６は断面形状略Ｕ字状をなし、後端に第１開口２６ａが形成されている。第２雌部２７は第１雌部２６の下方に位置し、第１雌部２６と略同一の断面形状略Ｕ字状をなし、後端に第２開口２７ａが形成されている。
【００２７】
第１雄部２８は第１雌部２６の後方に位置し、第１雌部２６に対して前後方向に対向し前方に延びる第１突起部２８Ａを有している。第２雄部２９は第２雌部２７の後方に位置し、第２雌部２７と前後方向に対向し前方に延びる第２突起部２９Ａを有し、第１雄部２８の下方に位置している。開閉部２５が投入口２１ａを封止している閉状態のときは、第１開口２６ａに第１突起部２８Ａの先端が挿入されて両者が係合するとともに、第２開口２７ａに第２突起部２９Ａの先端が挿入されて両者が係合する。これにより、開閉部２５が閉状態となり投入口２１ａが封止され、収納部２２に収納された被収納物１０は外部に漏れることがない。第１雌部２６と第２雌部２７との係合を解除するとともに、第２雌部２７と第２雄部２９との係合を解除することにより、開閉部２５を開状態とすることができる。開閉部２５は、繰り返し投入口２１ａを開閉することが可能である。
【００２８】
収納部２２には、内部に被収納物１０が収容される収納空間２２ａが規定されている。収納空間２２ａは、投入部２１（投入口２１ａ）と連通している。取出部２３は、収納部２２に対して投入部２１の反対側に配置されている。換言すると、取出部２３は袋体２の長手方向の他端部である下部に配置され、上から下に投入部２１、収納部２２、取出部２３の順番で配置される。取出部２３は収納空間２２ａと連通していて、取出ヒートシール部２４の右側に位置している。取出部２３は、左側に取出ヒートシール部２４が位置していることにより、投入部２１よりも左右方向の幅が狭い。本実施の形態では、取出部２３は袋体２の右側端部に配置されているが、これに限定されず袋体２の左側端部に配置されていてもよい。
【００２９】
取出ヒートシール部２４は、袋体２の左端部から右方向略中央部よりも右側に延びるように形成されていて、左端部にマーク２４Ａが設けられている。マーク２４Ａの位置には切込が形成されていて、マーク２４Ａによって切込の位置を示している。本実施の形態ではマーク２４Ａ及び切込は袋体２の左端部に配置されているが、これに限定されず袋体２の右端部に配置されていてもよい。
【００３０】
袋体２の収納部２２に被収納物１０を入れる場合には、図２に示すように、開閉部２５の第１雌部２６と第１雄部２８とを離間させるとともに第２雌部２７と第２雄部２９とを離間させて開状態とし、投入口２１ａを開く。シャンプーボトル３のノズル３１を投入部２１の内部に入れ、ヘッド３２を押すことによりシャンプーである被収納物１０を袋体２に収納する。このとき、ヘッド３２の押圧回数によって、袋体２への被収納物１０の投入量を任意に設定することができる。再び開閉部２５の第１雌部２６と第１雄部２８とを係合させるとともに第２雌部２７と第２雄部２９とを係合させて開閉部２５を閉状態とし、必要に応じて袋体２をミシン目２ａから個別に切り離す。
【００３１】
次に、収納袋１の使用方法について、図４及び図５を参照して説明する。図４（ａ）は収納袋１に調味料を入れた状態を示す図であり、図４（ｂ）は収納袋１に浴室用品を入れた状態を示す図である。ユーザは、袋体２に被収納物１０の名称を示すシール４を貼付することにより、一見して被収納物１０を把握することができる。
【００３２】
図４（ａ）では、２つの袋体２にそれぞれケチャップと、しょうゆと、が封入されている。図４（ｂ）では、３つの袋体２にボディーソープと、リンスと、シャンプーと、が封入されている。収納袋１は、ミシン目２ａをカットすることにより任意の数の袋体２に分離することができるため、調味料や浴室用品の種類に応じてまとめて複数種類の調味料又は浴室用品を持ち運ぶことができる。
【００３３】
図５に示すように、マーク２４Ａの切込から右方向にカットすると、取出部２３に取出口２３ａが形成され、収納部２２に収納された被収納物１０であるケチャップを取出部２３から取り出すことができる。
【００３４】
このような構成によると、袋体２には被収納物１０を袋体２に入れるための投入口２１ａ及び投入口２１ａを開閉可能な開閉部２５を有しているため、被収納物１０を袋体２に入れて開閉部２５で投入口２１ａを閉じることにより必要量だけ被収納物１０を持ち運ぶことができる。これにより、被収納物１０を無駄にすることなく持ち運ぶことが可能となる。
【００３５】
また、収納袋１は複数の袋体２が連結されているため、複数種類の被収納物１０を同時に持ち運ぶことができる。さらに、すべての袋体２に投入口２１ａと取出部２３とが設けられているため、いずれかの袋体２に収納された被収納物１０のみを使用し、他の袋体２に収納された被収納物１０は使用しないことも可能である。これにより、個々の被収納物１０を個別に使用することができるため、無駄を省くことができる。特に、シャンプーやリンス等を持ち運び用のボトルで繰り返し使用する場合は内部洗浄が必要になるが、合成樹脂製の収納袋１を用いることにより内部洗浄が不要となり使い捨ての収納袋１としてシャンプー類を持ち運ぶことができる。
【００３６】
また、袋体２に普段から使用している浴室用品や化粧品等を収納することにより、使い慣れた製品を小分けにして持ち運ぶことができる。さらに、試供品等を配布する際に専用のパッケージを製造するとコストが高くなってしまうが、本件発明の収納袋１に被収納物１０を入れて配布することにより低コストで試供品を製造することができる。また、取出部２３の周囲がヒートシールされることにより取出口２３ａが投入口２１ａよりも狭く構成されているため、被収納物１０を必要量だけ取り出すことができる。換言すると、取出部２３の左側に取出ヒートシール部２４が形成されることにより取出部２３が投入部２１よりも狭く構成されているため、被収納物１０が過剰に出ることを抑制できる。
【００３７】
このような構成によると、袋体の左端部には取出部２３を開口するための切込が形成されているため、切込から取出部２３を開口することにより被収納物１０を取出すことができる。これにより、収納袋１を使い捨てとして使用することができるため、手軽に使い慣れた製品を持ち運ぶことができる。
【００３８】
このような構成によると、袋体２の間にミシン目２ａが形成されているため、袋体２を個々に切り離すことができる。これにより、必要な個数のみをまとめて持ち運ぶことができるため、各袋体２がバラバラにならずに管理がし易い。また、複数の袋体２のうちいずれかの袋体２に収納された被収納物１０のみを使用し他の袋体２に収納された被収納物１０は使用しない場合には、使用する袋体２のみを切り離して使用することができる。
【００３９】
次に、本発明の第２の実施の形態について、図６及び図７を参照して説明する。第１の実施の形態と同一の構成については、同一の符号を付し説明を省略する。
【００４０】
収納袋１０１は合成樹脂製であって、複数の袋体１０２が連結されるように構成され、各袋体１０２の間にはミシン目２ａが形成されている。図６に斜線で示すように、各袋体１０２の左右方向両端部及び下部はヒートシールによって溶着されている。袋体１０２は、投入部２１と、収納部２２と、取出部１２３と、取出ヒートシール部１２４と、から構成されている。袋体１０２は、左右方向の幅が３ｃｍ程度であって上下方向の高さが６ｃｍ程度であることが望ましいが、被収納物１０の容量に応じて任意に設定することができる。
【００４１】
取出部１２３は、袋体２の左右方向略中央部に配置され、下に向かうにつれて左右方向の幅が狭くなるように構成されている。取出ヒートシール部１２４は、取出部１２３の左右方向両側に設けられていて下方に向かうにつれて袋体１０２の中央に向けて膨出している。
【００４２】
取出ヒートシール部１２４の左右方向両端部には、第１切込１２４Ａと、第１切込１２４Ａの下方に位置する第２切込１２４Ｂと、が並んで形成されている。つまり、１つの袋体１０２には、左右両側に第１切込１２４Ａ及び第２切込１２４Ｂの合計４つの切込が形成されている。
【００４３】
図７（ａ）に示すように、被収納物１０が粘度の低いしょうゆやお酢などの調味料の場合には、第２切込１２４Ｂからカットして第２取出口１２３ｂから被収納物１０を出す。図７（ｂ）に示すように、被収納物１０が粘度の高いクリームなどの化粧品の場合には、第１切込１２４Ａからカットして第２取出口１２３ｂよりも開口面積の大きい第１取出口１２３ａから被収納物１０を出す。一旦、第２切込１２４Ｂからカットして第２取出口１２３ｂから被収納物１０を出した後に大量に被収納物１０を出したくなった場合には、引き続き第１切込１２４Ａからカットして第１取出口１２３ａから被収納物１０を出してもよい。
【００４４】
このような構成によると、取出部１２３が上から下に向かうにつれて幅が細くなっており第１切込１２４Ａと第２切込１２４Ｂとが上下方向に並んで形成されているため、切込の位置によって取出部１２３の取出口の幅を選択することができる。これにより、被収納物１０の粘度に応じて、取出部１２３の取出口の幅を設定することができる。例えば、被収納物１０がしょうゆなどの粘度の低いものであれば、第２切込１２４Ｂを使用することで、開口の幅が狭くなり適量のしょうゆを取出すことができる。また、被収納物１０がクリームなどの粘度の高いものであれば、第１切込１２４Ａを使用することで、開口の幅が広くなり適量のクリームを取出すことができる。また、第２切込１２４Ｂを使用した後、再び第１切込１２４Ａを使用することも可能であるため、袋体１０２を使用中に開口の幅を変更することができる。例えば、マヨネーズを被収納物１０として使用している場合に、別の切込を使用することにより途中から取出口の幅を広くすることができる。
【００４５】
次に、第３の実施の形態について、図８を参照して説明する。上述の実施の形態と同一の構成については、同一の符号を付し説明を省略する。
【００４６】
収納袋２０１は、複数の袋体２０２が連結されるように構成され、各袋体２０２の間にはミシン目２ａが形成されている。袋体２０２は、投入部２１と、収納部２２と、取出部２２３と、取出ヒートシール部２２４と、から構成されている。袋体２０２は、高さ１０ｃｍ程度であって幅４ｃｍ程度が望ましいが、これに限定されず被収納物１０の容量に応じて任意に設定することができる。
【００４７】
収納袋２０１は、合成樹脂製であって内側にアルミ蒸着層が形成されたシートからなる。アルミ蒸着層は水分や酸素などの侵入を防止するために設けられていて、ケイ素、マグネシウム、亜鉛、錫、ニッケル、チタン又はこれらの酸化物を用いてもよい。また、層の形成方法は蒸着に限らず、化学的気相成長法（ＣＶＤ）、物理成膜法（ＰＶＤ）であってもよく、具体的にはイオンプレーティングやスパッタリングであってもよい。収納袋２０１は開封後の再使用を前提としているため、袋体２を構成するシートの厚みが上述の収納袋１及び収納袋１０１と比較して厚い。図８においては、外観上、投入部２１、収納部２２、収納空間２２ａ、及び開閉部２５は視認できないが、模式的に示している。
【００４８】
取出部２２３の周囲には取出ヒートシール部２２４が形成されていて、取出ヒートシール部２２４の上下方向の厚みは、収納部２２の周囲に形成されたヒートシール部の左右方向の厚みより、厚く形成されている。取出部２２３は、取出経路２２５と、取出ノズル２２６と、蓋部２２７と、から構成されている。
【００４９】
取出経路２２５は、取出ノズル２２６と収納空間２２ａとを繋いでいる。取出ノズル２２６は、先端に取出口２２３ａが形成され、収納部２２に収納された被収納物１０は取出口２２３ａから外部に取出される。蓋部２２７は、取出部２２３と螺合することによって取出口２２３ａ及び取出ノズル２２６を塞ぐ蓋であって、再封止が可能である。
【００５０】
次に、収納袋２０１の使用方法について、説明する。上述の実施の形態と同様に、袋体１０２に被収納物１０の名称を示すシールを貼付することにより、一見して被収納物１０を把握することができる。
【００５１】
収納袋２０１は、ミシン目２ａをカットすることにより任意の数の袋体２に分離することができるため、調味料や浴室用品の種類に応じてまとめて複数種類の調味料又は浴室用品を持ち運ぶことができる。蓋部２２７と取出部２２３との螺合を解除すると、取出部２２３に取出口２２３ａが開口し、収納部２２に収納された被収納物１０を取出部２２３から取り出すことができる。被収納物１０を所定量取出した後、蓋部２２７と取出部２２３とを螺合することによって、再び取出口２２３ａを閉止することができる。
【００５２】
このような構成によると、取出口２２３ａを再封止可能な蓋部２２７を有しているため、被収納物を取出口２２３ａから取り出した後に再び取出口２２３ａを封止して収納袋２０１を持ち運ぶことができる。これにより、ユーザの利便性を向上させることができる。
【００５３】
本発明による収納袋は、上述した実施の形態に限定されず、特許請求の範囲に記載された発明の要旨の範囲内で種々の変更が可能である。
【００５４】
上述の実施の形態では、各袋体２の間にミシン目２ａが形成されていたが、これに限定されない。例えば、ミシン目２ａが形成されていなくてもよい。これにより、複数種類の被収納物１０が収納された収納袋１を持ち運ぶことができる。
【００５５】
上述の実施の形態では、投入部２１は第１雌部２６と、第２雌部２７と、第１雄部２８と、第２雄部２９と、により構成されたが、これに限定されない。例えば、単一の雄部及び雌部により構成されていてもよく、３つ以上の雄部及び雌部から構成されていてもよい。また、図３に示す構造に限定されず、再封止可能な構成であればよい。
【００５６】
第３の実施の形態では、再封止可能な構成として、取出部２２３と、取出部２２３を封止する蓋部２２７と、を設けたがこれに限定されない。例えば、取出部に開閉部のような開閉可能な構成を設けることにより再封止可能としてもよい。
【符号の説明】
【００５７】
１、１０１、２０１      収納袋
２、１０２、２０２      袋体
２ａ    ミシン目
１０    被収納物
２１    投入部
２１ａ  投入口
２２    収納部
２３、１２３、２２３    取出部
２３ａ  取出口
２４、１２４、２２４    取出ヒートシール部
２４Ａ  マーク
２５    開閉部
２２７  蓋部
【図１】
2019202813.tif 000003
【図２】
2019202813.tif 000004
【図３】
2019202813.tif 000005
【図４】
2019202813.tif 000006
【図５】
2019202813.tif 000007
【図６】
2019202813.tif 000008
【図７】
2019202813.tif 000009
【図８】
2019202813.tif 000010